(57)【特許請求の範囲】
【請求項１】
複数のエレベーターバンクの混雑度に基づいて、前記複数のエレベーターバンクの各々が空いているか否かを判定する混雑度比較部と、
前記混雑度比較部が空いていると判定したエレベーターバンクの乗場に配置された案内装置に前記混雑度比較部の判定結果に基づいて作成された当該エレベーターバンクの利用を促すための案内データを送信する案内指令部と、
を備えるエレベーター監視装置。
【請求項２】
前記混雑度比較部は、前記複数のエレベーターバンクの混雑度に基づいて、前記複数のエレベーターバンクの各々が混雑しているか否かを判定し、
前記案内指令部は、前記混雑度比較部が混雑していると判定したエレベーターバンクの乗場に配置された案内装置に前記混雑度比較部の判定結果に基づいて作成された他のエレベーターバンクの利用を促すための案内データを送信する請求項１に記載のエレベーター監視装置。
【請求項３】
前記案内指令部は、前記混雑度比較部に混雑していると判定されたエレベーターバンクに対して予め定められた範囲内のエレベーターバンクのいずれもが前記混雑度比較部に空いていると判定されなかった場合に、当該混雑していると判定されたエレベーターバンクの乗場に配置された前記案内装置に案内データを送信しない請求項２に記載のエレベーター監視装置。
【請求項４】
前記混雑度比較部は、前記複数のエレベーターバンクの混雑度に基づいて、前記複数のエレベーターバンクの各々が混雑しているか否かを判定し、
前記案内指令部は、前記混雑度比較部に空いていると判定されたエレベーターバンクに対して予め定められた範囲内のエレベーターバンクのいずれもが前記混雑度比較部に混雑していると判定されなかった場合に、当該空いていると判定されたエレベーターバンクの乗場に配置された前記案内装置に案内データを送信しない請求項１に記載のエレベーター監視装置。
【請求項５】
前記混雑度比較部は、前記複数のエレベーターバンクの混雑度に基づいて、前記複数のエレベーターバンクの各々が混雑しているか否かを判定し、
前記案内指令部は、前記混雑度比較部に空いていると判定されたエレベーターバンクとサービス階が同じエレベーターバンクのいずれもが前記混雑度比較部に混雑していると判定されなかった場合に、当該空いていると判定されたエレベーターバンクの乗場に配置された前記案内装置に案内データを送信しない請求項１に記載のエレベーター監視装置。
【請求項６】
受信した案内データの内容を報知する案内装置と、
前記案内装置が乗場に配置された複数のエレベーターバンクの各々に対応し、対応するエレベーターバンクの混雑度を算出する複数の混雑度算出装置と、
前記複数の混雑度算出装置の各々が算出した混雑度に基づいて前記複数のエレベーターバンクの各々が空いているか否かを判定し、空いていると判定したエレベーターバンクの乗場に配置された前記案内装置に当該判定の結果に基づいて作成された当該エレベーターバンクの利用を促すための案内データを送信するエレベーター監視装置と、
を備えるエレベーターシステム。
【発明の詳細な説明】
【技術分野】
【０００１】
本発明は、エレベーター監視装置およびエレベーターシステムに関する。
【背景技術】
【０００２】
特許文献１は、エレベーターシステムの例を開示する。エレベーターシステムは、複数のエレベーターバンクを有する。複数のエレベーターバンクの各々は、乗場に案内装置が配置される。エレベーターシステムは、複数のエレベーターバンクの各々の混雑状況を算出する。混雑しているエレベーターバンクの案内装置は、当該エレベーターバンクより混雑度の低いエレベーターバンクがある場合に、混雑度の低いエレベーターバンクの利用を促すための案内を表示する。エレベーターシステムは、混雑しているエレベーターバンクに配置された案内装置にしか案内を表示しない。
【先行技術文献】
【特許文献】
【０００３】
【特許文献１】日本特開２００８−１４３６８０号公報
【発明の概要】
【発明が解決しようとする課題】
【０００４】
しかしながら、特許文献１で開示されるエレベーターシステムにおいては、利用者は、混雑しているエレベーターバンクの乗場に行かなければ、当該エレベーターバンクが混雑していることを知ることができない。よって、利用者は、混雑しているエレベーターバンクの乗場に行かなければ、当該エレベーターバンクより混雑度の低いエレベーターバンクを選択できない。【０００５】
本発明は、このような課題を解決するためになされた。本発明の目的は、利用者が、混雑しているエレベーターバンクの乗場に行かなくても、当該エレベーターバンクより混雑度の低いエレベーターバンクを選択できるエレベーター監視装置およびエレベーターシステムを提供することである。
【課題を解決するための手段】
【０００６】
本発明に係るエレベーター監視装置は、複数のエレベーターバンクの混雑度に基づいて、複数のエレベーターバンクの各々が空いているか否かを判定する混雑度比較部と、混雑度比較部が空いていると判定したエレベーターバンクの乗場に配置された案内装置に混雑度比較部の判定結果に基づいて作成された当該エレベーターバンクの利用を促すための案内データを送信する案内指令部と、を備える。
【０００７】
本発明に係るエレベーターシステムは、受信した案内データの内容を報知する案内装置と、案内装置が乗場に配置された複数のエレベーターバンクの各々に対応し、対応するエレベーターバンクの混雑度を算出する複数の混雑度算出装置と、複数の混雑度算出装置の各々が算出した混雑度に基づいて複数のエレベーターバンクの各々が空いているか否かを判定し、空いていると判定したエレベーターバンクの乗場に配置された案内装置に当該判定の結果に基づいて作成された当該エレベーターバンクの利用を促すための案内データを送信するエレベーター監視装置と、を備える。
【発明の効果】
【０００８】
これらの発明によれば、混雑度比較部は、複数の混雑度算出装置の各々が算出した混雑度に基づいて、複数のエレベーターバンクの各々が空いているか否かを判定する。案内指令部は、混雑度比較部が空いていると判定したエレベーターバンクの乗場に配置された案内装置に当該エレベーターバンクの利用を促すための案内データを送信する。このため、利用者は、混雑しているエレベーターバンクの乗場に行かなくても、当該エレベーターバンクより混雑度の低いエレベーターバンクを選択できる。
【図面の簡単な説明】
【０００９】
【図１】本発明の実施の形態１に係るエレベーターシステムの全体構成を示すブロック図である。
【図２】本発明の実施の形態１に係る案内装置が配置されたエレベーターバンクの利用を促すための案内表示の例を示す図である。
【図３】本発明の実施の形態１に係る他のエレベーターバンクの利用を促すための案内表示の例を示す図である。
【図４】本発明の実施の形態１に係るエレベーター監視装置の動作の例を示すフローチャートである。
【図５】本発明の実施の形態１に係る混雑度算出装置および案内装置の動作の例を示すフローチャートである。
【図６】本発明の実施の形態１に係るエレベーター監視装置の主要部のハードウェア構成を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、本発明の実施の形態１に係るエレベーターシステムの全体構成を示すブロック図である。
【００１２】
図１において、建築物は、複数のエレベーターバンク１を備える。複数のエレベーターバンク１の各々は、予め定められた範囲内のエレベーターバンクが設定される。一つのエレベーターバンク１からの経路の長さが予め定められた範囲の中にあるエレベーターバンク１は、当該一つのエレベーターバンク１の予め定められた範囲内のエレベーターバンクの例である。予め定められた経路の長さは、例えば利用者が容易に移動できる経路の長さが設定される。
【００１３】
複数のエレベーターバンク１の各々は、一つ以上の昇降路２を有する。複数のエレベーターバンク１の各々は、建築物の各階に乗場３を有する。
【００１４】
昇降路２は、建築物の各階を貫く。
【００１５】
エレベーターバンク１の乗場３の各々は、当該エレベーターバンク１が有する一つ以上の昇降路２の各々に面する。複数のエレベーターバンク１の各々は、サービス階が設定される。エレベーターバンク１のサービス階は、当該エレベーターバンク１が有する昇降路が貫く建築物の各階の一部または全部である。
【００１６】
エレベーターシステム４は、複数のかご５と複数の案内装置６と複数の制御装置７と群管理装置８とエレベーター監視装置９とを備える。
【００１７】
複数のかご５の各々は、複数の昇降路２の各々に対応する。複数のかご５の各々は、図示しない巻上機の動力により、対応する昇降路２の内部において昇降し得るように設けられる。複数のかご５の各々は、水平投影面上で互いに重ならないように配置される。エレベーターバンク１が有するかご５は、当該エレベーターバンク１のサービス階で停止する。
【００１８】
複数の案内装置６の各々は、複数のエレベーターバンク１の各々が有する乗場３の各々に配置される。案内装置６は、案内データを受信する。案内装置６は、受信した案内データの内容を報知する。案内装置６は、文字列を表示する表示装置である。案内装置６は、受信した案内データが表す文字列を表示することで、案内データの内容を報知する。
【００１９】
複数の制御装置７の各々は、複数のかご５の各々に対応する。制御装置７は、対応するかご５の動作を制御する。かご５の動作は、例えば昇降動作および戸の開閉動作を含む。
【００２０】
群管理装置８は、複数のかご５を有するエレベーターバンク１に対応する。群管理装置８は、対応するエレベーターバンク１の複数のかご５の各々に対して呼びの割当てを制御する。
【００２１】
エレベーターシステム４は、複数の混雑度算出装置を備える。複数の混雑度算出装置の各々は、エレベーターバンク１の各々に対応する。混雑度算出装置は、混雑度算出部２１と通信部２２とを備える。
【００２２】
制御装置７は、一台のみのかご５を有するエレベーターバンク１に対応する混雑度算出装置の例である。群管理装置８は、複数のかご５を有するエレベーターバンク１に対応する混雑度算出装置の例である。
【００２３】
混雑度算出部２１は、対応するエレベーターバンク１の混雑度を算出する。混雑度算出部２１は、混雑度を例えば次のように算出する。
【００２４】
混雑度算出部２１は、対応するエレベーターバンク１が有するかご５の各々に、かご５が有する荷重センサーが示す値に基づいて、予め設定された時間の間に出入りする人数を算出する。その後、混雑度算出部２１は、算出されたかご５に出入りする人数に基づいて、複数のかご５の各々に乗車している人数を算出する。その後、混雑度算出部２１は、複数のかご５の各々に乗車している人数と、当該かご５の定員に基づいて、当該かご５の乗車率を算出する。その後、混雑度算出部２１は、対応するエレベーターバンク１が有するかご５の各々の乗車率の平均値を、対応するエレベーターバンク１の混雑度として算出する。
【００２５】
混雑度算出装置の通信部２２は、予め設定された時間ごとに、混雑度算出部２１が算出した混雑度の情報を送信する。
【００２６】
エレベーター監視装置９は、通信部１１と混雑度比較部１２と案内指令部１３とを備える。
【００２７】
エレベーター監視装置９の通信部１１は、混雑度算出装置の通信部２２が送信した混雑度の情報を受信する。通信部１１は、受信した混雑度の情報を送信する。
【００２８】
混雑度比較部１２は、エレベーター監視装置９の通信部１１から受信した混雑度の情報に基づいて、複数のエレベーターバンク１の各々が空いているか否かを判定する。混雑度比較部１２は、例えば混雑度が第１の閾値より低いエレベーターバンク１を、空いていると判定する。第１の閾値は、予め設定された混雑度の値である。
【００２９】
混雑度比較部１２は、受信した混雑度の情報に基づいて、複数のエレベーターバンク１の各々が混雑しているか否かを判定する。混雑度比較部１２は、例えば混雑度が第２の閾値より高いエレベーターバンク１を、混雑していると判定する。第２の閾値は、予め設定された混雑度の値である。第２の閾値は、第１の閾値以上の値である。
【００３０】
混雑度比較部１２は、複数のエレベーターバンク１の各々について空いているか否かおよび混雑しているか否かを判定した結果を送信する。
【００３１】
案内指令部１３は、混雑度比較部１２から受信した判定結果に基づいて、案内データを作成する。
【００３２】
案内指令部１３は、複数のエレベーターバンク１の各々について案内データの送信判定処理を行う。
【００３３】
案内指令部１３は、複数のエレベーターバンク１の中から、送信判定処理を行っていないエレベーターバンク１を選択する。案内指令部１３は、選択したエレベーターバンク１について案内データの送信判定処理を開始する。
【００３４】
案内指令部１３は、選択したエレベーターバンク１について案内データの送信判定処理を次のように行う。
【００３５】
案内指令部１３は、選択したエレベーターバンク１が混雑度比較部１２に空いていると判定された場合に、選択したエレベーターバンク１の予め定められた範囲内のエレベーターバンクのいずれかが混雑度比較部１２に混雑していると判定されたか否かを判定する。
【００３６】
案内指令部１３は、選択したエレベーターバンク１の予め定められた範囲内のエレベーターバンクのいずれかが混雑度比較部１２に混雑していると判定された場合に、選択したエレベーターバンク１の利用を促すための案内データを作成する。その後、案内指令部１３は、作成した案内データをエレベーター監視装置９の通信部１１に送信する。その後、案内指令部１３は、選択したエレベーターバンク１について案内データの送信判定処理を終了する。
【００３７】
案内指令部１３は、選択したエレベーターバンク１の予め定められた範囲内のエレベーターバンクのいずれもが混雑度比較部１２に混雑していると判定されなかった場合に、案内データを作成しない。その後、案内指令部１３は、案内データを送信せずに、選択したエレベーターバンク１について案内データの送信判定処理を終了する。
【００３８】
案内指令部１３は、選択したエレベーターバンク１が混雑度比較部１２に混雑していると判定された場合に、選択したエレベーターバンク１の予め定められた範囲内のエレベーターバンクのいずれかが混雑度比較部１２に空いていると判定されたか否かを判定する。
【００３９】
案内指令部１３は、選択したエレベーターバンク１の予め定められた範囲内のエレベーターバンクのいずれかが混雑度比較部１２に空いていると判定された場合に、他のエレベーターバンク１の利用を促すための案内データを作成する。その後、案内指令部１３は、作成した案内データをエレベーター監視装置９の通信部１１に送信する。その後、案内指令部１３は、選択したエレベーターバンク１について案内データの送信判定処理を終了する。
【００４０】
案内指令部１３は、選択したエレベーターバンク１の予め定められた範囲内のエレベーターバンクのいずれもが混雑度比較部１２に空いていると判定されなかった場合に、案内データを作成しない。その後、案内指令部１３は、案内データを送信せずに、選択したエレベーターバンク１について案内データの送信判定処理を終了する。
【００４１】
案内指令部１３は、選択したエレベーターバンク１が空いていると判定されておらず、かつ混雑していると判定されていない場合に、案内データを作成しない。その後、案内指令部１３は、案内データを送信せずに、選択したエレベーターバンク１について案内データの送信判定処理を終了する。
【００４２】
エレベーター監視装置９の通信部１１は、選択したエレベーターバンク１に対応する混雑度算出装置の通信部２２を介して、選択したエレベーターバンク１の乗場３に配置された案内装置６に、案内指令部１３から受信した案内データを送信する。
【００４３】
続いて、図２を用いて本実施の形態に係る案内装置による報知の例を説明する。
【００４４】
図２は、本実施の形態に係る案内装置が配置されたエレベーターバンクの利用を促すための案内データが表す表示の例を示す図である。案内装置６は、案内装置６が配置されたエレベーターバンク１の利用を促すための案内データを受信したときに、例えば「こちらのエレベーターはただ今空いておりますのでご利用下さい。」という文字列を、図２に示す書式で表示する。
【００４５】
続いて、図３を用いて本実施の形態に係る案内装置による報知の他の例を説明する。
【００４６】
図３は、本実施の形態に係る他のエレベーターバンクの利用を促すための案内表示の例を示す図である。案内装置６は、他のエレベーターバンクの利用を促すための案内データを受信したときに、例えば「こちらのエレベーターはただ今混雑しています。別のエレベーターをご利用下さい。」という文字列を、図３に示す書式で表示する。
【００４７】
続いて、本実施の形態に係るエレベーターシステムの動作について説明する。図４は、本実施の形態に係るエレベーター監視装置の動作の例を示すフローチャートである。図５は、本実施の形態に係る混雑度算出装置および案内装置の動作の例を示すフローチャートである。
【００４８】
図５において、複数の混雑度算出装置は、対応するエレベーターバンクの混雑度を算出する。その後、混雑度算出装置は、算出した混雑度の情報をエレベーター監視装置９に送信する（Ｓ２０１）。
【００４９】
図４において、エレベーター監視装置９は、混雑度の情報を受信する。混雑度比較部１２は、エレベーター監視装置９が受信した混雑度情報に基づいて、複数のエレベーターバンク１の各々に対し空いているか否かおよび混雑しているか否かを判定する（Ｓ１０１）。
【００５０】
案内指令部１３は、案内データの送信判定処理を行っていないエレベーターバンク１を一つ選択する（Ｓ１０２）。
【００５１】
案内指令部１３は、選択したエレベーターバンク１が混雑度比較部１２に空いていると判定されたかを判定する（Ｓ１０３）。判定結果がＹｅｓであるとき、エレベーター監視装置９の動作は、Ｓ１０４に進む。判定結果がＮｏであるとき、エレベーター監視装置９の動作は、Ｓ１０６に進む。
【００５２】
案内指令部１３は、選択したエレベーターバンク１の予め定められた範囲内のエレベーターバンクに混雑しているエレベーターバンク１があるかを判定する（Ｓ１０４）。判定結果がＹｅｓであるとき、エレベーター監視装置９の動作は、Ｓ１０５に進む。判定結果がＮｏであるとき、エレベーター監視装置９の動作は、Ｓ１０９に進む。
【００５３】
案内指令部１３は、選択したエレベーターバンクの利用を促すための案内データを作成する。エレベーター監視装置９は、案内指令部１３が作成した案内データを選択したエレベーターバンク１に対応する混雑度算出装置に送信する（Ｓ１０５）。
【００５４】
案内指令部１３は、選択したエレベーターバンク１が混雑度比較部１２に混雑していると判定されたかを判定する（Ｓ１０６）。判定結果がＹｅｓであるとき、エレベーター監視装置９の動作は、Ｓ１０７に進む。判定結果がＮｏであるとき、エレベーター監視装置９の動作は、Ｓ１０９に進む。
【００５５】
案内指令部１３は、選択したエレベーターバンク１の予め定められた範囲内のエレベーターバンクに空いているエレベーターバンク１があるかを判定する（Ｓ１０７）。判定結果がＹｅｓであるとき、エレベーター監視装置９の動作は、Ｓ１０８に進む。判定結果がＮｏであるとき、エレベーター監視装置９の動作は、Ｓ１０９に進む。
【００５６】
案内指令部１３は、他のエレベーターバンクの利用を促すための案内データを作成する。エレベーター監視装置９は、案内指令部１３が作成した案内データを選択したエレベーターバンク１に対応する混雑度算出装置に送信する（Ｓ１０８）。
【００５７】
案内指令部１３は、全てのエレベーターバンク１に対して案内データの送信判定処理を行ったかを判定する（Ｓ１０９）。判定結果がＹｅｓであるとき、エレベーター監視装置９の動作は、Ｓ１０１に進む。判定結果がＮｏであるとき、エレベーター監視装置９の動作は、Ｓ１０２に進む。
【００５８】
図５において、混雑度算出装置は、案内データをエレベーター監視装置９から受信したかを判定する（Ｓ２０２）。判定結果がＹｅｓであるとき、混雑度算出装置の動作は、Ｓ２０３に進む。判定結果がＮｏであるとき、混雑度算出装置の動作は、Ｓ２０４に進む。
【００５９】
混雑度算出装置は、対応するエレベーターバンク１の乗場３に配置された案内装置６に、受信した案内データを送信する（Ｓ２０３）。
【００６０】
混雑度算出装置は、予め設定された時間が経過したかを判定する（Ｓ２０４）。判定結果がＹｅｓであるとき、混雑度算出装置の動作は、Ｓ２０１に進む。判定結果がＮｏであるとき、混雑度算出装置の動作は、Ｓ２０２に進む。
【００６１】
案内装置６は、案内データを混雑度算出装置から受信したかを判定する（Ｓ３０１）。判定結果がＹｅｓであるとき、案内装置６の動作は、Ｓ３０２に進む。判定結果がＮｏであるとき、案内装置６の動作は、Ｓ３０１に進む。
【００６２】
案内装置６は、受信した案内データの内容を報知する（Ｓ３０２）。
【００６３】
以上に説明したように、案内指令部１３は、空いているエレベーターバンク１の利用を促すための案内データを案内装置６に送信する。案内装置６は、受信した案内データの内容を報知する。利用者は、報知された内容により、混雑しているエレベーターバンク１の乗場に行くことなく、空いているエレベーターバンクを選択できる。
【００６４】
案内データの内容を報知する案内装置６は、乗場３に配置される。これにより、利用者は、例えば複数のエレベーターバンク１の各々の混雑度の情報を表示する携帯情報端末を、複数のエレベーターバンク１の各々の混雑の状況を知るために所持する必要がない。
【００６５】
案内指令部１３は、混雑しているエレベーターバンク１の他のエレベーターバンクの利用を促すための案内データを案内装置６に送信する。案内装置６は、受信した案内データの内容を報知する。利用者は、報知された内容によりエレベーターバンクが混雑していることを知ることができ、空いているエレベーターバンクを選択できる。
【００６６】
案内指令部１３は、混雑しているエレベーターバンク１の予め定められた範囲内に空いているエレベーターバンクがない場合に、当該混雑しているエレベーターバンク１の案内装置６に案内データを送信しない。予め定められた範囲内に空いているエレベーターバンクがない場合は、利用者は他のエレベーターバンク１を利用しても混雑を避けることができない。すなわち、エレベーターシステム４は、利用者が混雑を避けるために有効でない報知を行わない。これにより、エレベーターシステム４は、混雑を避けるための信頼性の高い報知を利用者に行うことができる。
【００６７】
案内指令部１３は、空いているエレベーターバンク１の予め定められた範囲内に混雑しているエレベーターバンクがない場合に、当該空いているエレベーターバンク１の案内装置６に案内データを送信しない。予め定められた範囲内に混雑しているエレベーターバンクがない場合は、利用者は、混雑を避けるためにエレベーターバンク１を選択する必要がない。すなわち、エレベーターシステム４は、利用者が混雑を避けるために有効でない報知を行わない。これにより、エレベーターシステム４は、混雑を避けるための信頼性の高い報知を利用者に行うことができる。
【００６８】
案内指令部１３は、Ｓ１０７において、選択したエレベーターバンク１の予め定められた範囲内のエレベーターバンクに代えて、選択したエレベーターバンク１とサービス階が同じエレベーターバンクに空いているエレベーターバンク１があるかを判定してもよい。
【００６９】
案内指令部１３は、Ｓ１０７において、選択したエレベーターバンク１の予め定められた範囲内のエレベーターバンクであり且つ選択したエレベーターバンク１とサービス階が同じエレベーターバンクに空いているエレベーターバンク１があるかを判定してもよい。
【００７０】
案内指令部１３は、空いているエレベーターバンク１とサービス階が同じエレベーターバンクのいずれもが混雑しているエレベーターバンクでない場合に、当該空いているエレベーターバンク１の案内装置６に案内データを送信しない。サービス階が同じエレベーターバンク１に混雑しているエレベーターバンクがない場合は、利用者は、混雑を避けるためにエレベーターバンク１を選択する必要がない。すなわち、エレベーターシステム４は、利用者が混雑を避けるために有効でない報知を行わない。これにより、エレベーターシステム４は、混雑を避けるための信頼性の高い報知を利用者に行うことができる。
【００７１】
案内装置６は、音声を再生する音声再生装置であってもよい。案内装置６が音声再生装置である場合に、案内装置６は、案内データの内容を音声により報知する。
【００７２】
案内装置６は、案内装置６が配置されたエレベーターバンク１の利用を促すための案内データを受信したときに、例えば「こちらのエレベーターはただ今空いておりますのでご利用下さい。」という音声を再生する。
【００７３】
案内装置６は、他のエレベーターバンクの利用を促すための案内データを受信したときに、例えば「こちらのエレベーターはただ今混雑しています。別のエレベーターをご利用下さい。」という音声を再生する。
【００７４】
利用者は、利用を予定していないエレベーターバンク１には注意を向けない場合がある。音声による報知は、案内装置６の方向を見ていない利用者の注意も引く場合がある。すなわち、案内装置６は、対応するエレベーターバンク１の利用を予定していない利用者にも、案内を報知できる可能性がある。これにより、案内装置６は、利用者が混雑を避けるためにエレベーターバンク１を選択することを有効に促すことができる。
【００７５】
案内指令部１３は、混雑しているエレベーターバンク１の案内装置６に、案内データを送信しなくてもよい。混雑しているエレベーターバンク１の案内装置６が報知を行わないことで、空いているエレベーターバンク１の案内装置６は、有効に利用者の注意を引くことができる。これにより、案内装置６は、利用者が混雑を避けるためにエレベーターバンク１を選択することを有効に促すことができる。
【００７６】
エレベーター監視装置９は、空いていると混雑度比較部１２が判定したエレベーターバンク１の案内装置６に、他のエレベーターバンク１の混雑度に関わらず、当該空いているエレベーターバンク１の利用を促すための案内データを送信してもよい。
【００７７】
エレベーター監視装置９は、混雑していると混雑度比較部１２が判定したエレベーターバンク１の案内装置６に、他のエレベーターバンク１の混雑度に関わらず、他のエレベーターバンク１の利用を促すための案内データを送信してもよい。
【００７８】
混雑度算出部２１は、かご５の内部を撮影した映像データを画像解析して、かご５に出入りする人数を算出してもよい。
【００７９】
混雑度算出部２１は、次のように混雑度を算出してもよい。混雑度算出部２１は、対応するエレベーターバンク１が有するかご５の各々に対して乗車率を算出する。混雑度算出部２１は、例えばかご５が有する荷重センサーが示す値に基づいて乗車率を算出する。その後、混雑度算出部２１は、対応するエレベーターバンク１が有するかご５の各々の乗車率の平均値を、対応するエレベーターバンク１の混雑度として算出する。
【００８０】
混雑度算出部２１は、乗場３の床に設けた荷重センサーが示す値に基づいて、対応するエレベーターバンク１の混雑度を算出してもよい。混雑度算出部２１は、乗場３に設けた照度センターが示す値に基づいて、対応するエレベーターバンク１の混雑度を算出してもよい。混雑度算出部２１は、かご５または乗場３を撮影した映像データを画像解析して、対応するエレベーターバンク１の混雑度を算出してもよい。混雑度算出部２１は、複数のかご５の各々に割り当てられている呼びの数に基づいて、対応するエレベーターバンク１の混雑度を算出してもよい。
【００８１】
混雑度比較部１２は、第１の閾値および第２の閾値を、複数のエレベーターバンク１の各々の混雑度の値から動的に設定してもよい。
【００８２】
混雑度比較部１２は、例えば予め定められた時間ごとに算出した複数のエレベーターバンク１の混雑度の平均値を、第１の閾値および第２の閾値として設定してもよい。混雑度比較部１２は、例えば予め定められた時間ごとに算出した複数のエレベーターバンク１の第１四分位数を第１の閾値として設定してもよい。混雑度比較部１２は、例えば予め定められた時間ごとに算出した複数のエレベーターバンク１の混雑度の第３四分位数を第２の閾値として設定してもよい。
【００８３】
混雑度算出部２１は、対応するエレベーターバンク１の混雑度が予め設定された混雑度の変化幅より大きく変化した場合にのみ、混雑度算出装置の通信部２２を介して当該混雑度の情報をエレベーター監視装置９に送信してもよい。
【００８４】
エレベーターバンク１は、時間帯によってサービス階が変化してもよい。エレベーターバンク１は、建築物の管理者等の操作によってサービス階が変化してもよい。
【００８５】
案内指令部１３は、エレベーター監視装置９の通信部１１および混雑度算出装置を介さずに、案内装置６の各々に案内データを直接送信してもよい。
【００８６】
エレベーターシステム４は、かご５が複数台あるエレベーターバンク１を一つのみ有する場合に、群管理装置８を一つのみ有してもよい。エレベーターシステム４は、かご５が複数台あるエレベーターバンク１を有しない場合に、群管理装置８を有しなくてもよい。
【００８７】
エレベーターシステム４は、制御装置７および群管理装置８と独立して混雑度算出装置を備えてもよい。
【００８８】
エレベーターシステム４は、同じ昇降路２の内部において水平投影面上で重なった複数のかご５を備えてもよい。
【００８９】
続いて、本実施の形態に係るエレベーター監視装置の例について説明する。図６は、本実施の形態に係るエレベーター監視装置の主要部のハードウェア構成を示す図である。
【００９０】
エレベーター監視装置９の各機能は、処理回路により実現し得る。処理回路は、少なくとも一つのプロセッサ９ｂと少なくとも一つのメモリ９ｃとを備える。処理回路は、プロセッサ９ｂおよびメモリ９ｃと共に、或いはそれらの代用として、少なくとも一つの専用のハードウェア９ａを備えてもよい。
【００９１】
処理回路がプロセッサ９ｂとメモリ９ｃとを備える場合、エレベーター監視装置９の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ９ｃに格納される。プロセッサ９ｂは、メモリ９ｃに記憶されたプログラムを読み出して実行することにより、エレベーター監視装置９の各機能を実現する。
【００９２】
プロセッサ９ｂは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ９ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００９３】
処理回路が専用のハードウェア９ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００９４】
エレベーター監視装置９の各機能は、それぞれ処理回路で実現することができる。或いは、エレベーター監視装置９の各機能は、まとめて処理回路で実現することもできる。エレベーター監視装置９の各機能について、一部を専用のハードウェア９ａで実現し、他部をソフトウェアまたはファームウェアで実現してもよい。このように、処理回路は、ハードウェア９ａ、ソフトウェア、ファームウェア、またはこれらの組み合わせでエレベーター監視装置９の各機能を実現する。
【産業上の利用可能性】
【００９５】
本発明に係るエレベーターシステムは、建築物に複数のエレベーターバンクを備えたシステムに適用できる。
【符号の説明】
【００９６】
１  エレベーターバンク、  ２  昇降路、  ３  乗場、  ４  エレベーターシステム、  ５  かご、  ６  案内装置、  ７  制御装置、  ８  群管理装置、  ９  エレベーター監視装置、  ９ａ  ハードウェア、  ９ｂ  プロセッサ、  ９ｃ  メモリ、  １１  通信部、  １２  混雑度比較部、  １３  案内指令部、  ２１  混雑度算出部、  ２２  通信部
【要約】
本発明に係るエレベーター監視装置は、混雑度比較部と案内指令部とを備える。混雑度比較部は、複数の混雑度算出装置の各々が算出した混雑度に基づいて、複数のエレベーターバンクの各々が空いているか否かを判定する。案内指令部は、混雑度比較部が空いていると判定したエレベーターバンクの乗場に配置された案内装置に当該エレベーターバンクの利用を促すための案内データを送信する。これによって、利用者は、混雑しているエレベーターバンクの乗場に行かなくても、当該エレベーターバンクより混雑度の低いエレベーターバンクを選択できる。【図１】
0006380709.tif 000002
【図２】
0006380709.tif 000003
【図３】
0006380709.tif 000004
【図４】
0006380709.tif 000005
【図５】
0006380709.tif 000006
【図６】
0006380709.tif 000007